【手続補正書】
【提出日】平成17年10月5日(2005.10.5)
【手続補正１】
【補正対象書類名】明細書
【補正対象項目名】特許請求の範囲
【補正方法】変更
【補正の内容】
【特許請求の範囲】
【請求項１】  
複数のセルを含む地上のサービス領域に位置する複数のデバイスに通信を提供するシステムであって、
該システムは、アンテナセクションを持った浮遊スイッチングノードを有してなり、前記サービス領域の上を飛行する航空機を含み、
前記浮遊スイッチングノードは、
前記アンテナセクションを介して、それぞれ前記サービス領域内における対応するセルに向けられた互いに異なる方向に指向性を有する複数のビームを送信し、
地上に対する前記航空機の移動に伴う補償を含み、前記航空機に対する前記ビームの方向を調整し、
前記アンテナセクションを介して、前記サービス領域に位置する複数のデバイスによって送信された各信号を受信して、その受信した各信号を、その信号を送信したデバイス以外の他のデバイスの１つに送信するシステム。
【請求項２】
前記浮遊スイッチングノードが、前記航空機に対するビームの調整を容易にするために前記浮遊スイッチングノードの制御のもとで前記航空機に対する前記アンテナセクションの方向を機械的に調整するアダプターをさらに有する請求項１記載のシステム。
【請求項３】
前記アダプターは、ほぼ水平に伸びている少なくとも１つの軸について前記航空機に対する前記アンテナセクションの傾きを変える請求項２記載のシステム。
【請求項４】
前記アダプターは、ほぼ垂直な軸について前記航空機に対して前記アンテナセクションを回転させる請求項２記載のシステム。
【請求項５】
前記アダプターが前記アンテナセクションを、前記アンテナセクションのコンパス方向を実質的に一定に維持するように回転する請求項４に記載のシステム。
【請求項６】
前記アンテナセクションが、電気的にビームの方向を調整する少なくとも１つのフェーズドアレイアンテナを含む請求項２記載のシステム。
【請求項７】
前記アンテナセクションが、電気的にビームの方向を調整する少なくとも１つのフェーズドアレイアンテナを含む請求項１記載のシステム。
【請求項８】
前記アンテナセクションが、
それぞれ前記サービス領域内における前記セルの各サブセットの中の前記デバイスに関連づけられ、該デバイスを取り扱う複数のアンテナ部を有する請求項１に記載のシステム。
【請求項９】
前記各アンテナ部は、送信アンテナと受信アンテナを含む請求項４記載のシステム。
【請求項１０】
前記アンテナセクションは、その周りを囲んでいる傾斜した周縁部を有する中央セクションを有するプラットフォームを含み、前記アンテナ部の１つは前記中央セクション上に設けられており、他のアンテナ部は前記傾斜した周縁部に設けられている請求項４記載のシステム。
【請求項１１】
前記中央セクションに設けられた前記アンテナ部が、サービスエリアの中央のセルにビームを指向し、前記傾斜した周縁部に設けられた前記アンテナ部が、前記サービス領域の中央を囲んでいるセルの各組にビームを指向する請求項１０に記載のシステム。
【請求項１２】
前記浮遊スイッチングノードは、
前記サービス領域内のデバイスの中の第１のデバイスから前記アンテナセクションを介してパケットデータを受信し、前記サービス領域内のデバイスの中の第２のデバイスに送信するために前記パケットデータを前記アンテナセクションに導くパケットスイッチを含む請求項１に記載のシステム。
【請求項１３】
前記浮遊スイッチングノードは、前記ビームと前記セルの間の関連を記憶するメモリと、
パケットデータを前記アンテナセクションを介して前記セルの１つに位置する前記デバイスの中の第１のデバイスから受信し、前記メモリにアクセスして、前記セルの１つに位置する前記デバイスの中の第２のデバイスに関連する目的地ビームを決定し、および、前記パケットデータを前記目的地ビームを使用している前記第２のデバイスに送信するために前記アンテナセクションに導くパケットスイッチとを含み、
前記浮遊スイッチングノードがセル間のビームのハンドオフを実行する際に前記メモリ内の前記関連を更新する請求項１に記載のシステム。
【請求項１４】
前記デバイスが、
複数の第１周波数バンドのうちの１つを使用して前記浮遊スイッチングノードと通信する複数の加入者デバイスと、
前記第１周波数バンドとは異なる第２周波数バンドを使用して前記浮遊スイッチングノードと通信するゲートウェイデバイスとを有する請求項１に記載のシステム。
【請求項１５】
前記アンテナセクションは、
フェーズアレイ技術を用いて加入者デバイスとの通信を容易にする第１ポーションと、
前記第１ポーションと分離されていて、他のフェーズアレイ技術を用いてゲートウェイデバイスとの通信を容易にする第２ポーションとを含む請求項１４記載のシステム。
【請求項１６】
前記浮遊スイッチングノードが、地面設置通信のために設計された周波数バンドを使用して前記デバイスと通信する請求項１に記載のシステム。
【請求項１７】
前記浮遊スイッチングノードがさらにパイロット信号を送信するパイロット送信器を有し、
前記デバイスの少なくとも１つが、
前記パイロット信号を受信するためのアンテナと、
前記パイロット信号に応答して前記浮遊スイッチングノードで前記アンテナをポイントに位置決めするアンテナトラッカーとを有する請求項１に記載のシステム。
【請求項１８】
前記アンテナセクションは、前記複数の指向性ビームの同時送信を容易にする請求項１記載のシステム。
【請求項１９】
前記浮遊スイッチングノードがサテライトと通信する請求項１に記載の浮遊スイッチングノード。
【請求項２０】
別のサービス領域にある複数の別のデバイスと通信する別の浮遊スイッチングノードを持った別の航空機を含み、前記浮遊スイッチングノードが互いに通信する請求項１記載のシステム。
【請求項２１】
地上のサービス領域内に位置する複数のデバイスと通信するシステムであって、
アンテナセクションを含む浮遊スイッチングノードを有し、前記サービス領域の上を飛行する航空機を含み、
前記浮遊スイッチングノードは、
前記アンテナセクションを介して前記サービス領域に、それぞれ異なる方向の複数の指向性ビームを送信し、
前記航空機の地上に対する移動を補償する必要に従って前記サービス領域内の前記デバイス間においてビームをハンドオフし、
前記アンテナセクションを介して、前記サービス領域に配置された複数のデバイスによって送信された各信号を受信して、その前記ビームの１つに関して受信した各信号を、信号を送信したデバイス以外の他のデバイスの１つに送信するシステム。
【請求項２２】
前記アンテナセクションがフェーズドアレイ技術を含み、電気的に前記ビームをそれぞれの方向に指向する請求項２１に記載のシステム。
【請求項２３】
浮遊スイッチングノードが、前記スイッチが前記アンテナセクションを介して前記サービス領域のデバイスの中の第１のデバイスからパケットデータを受信し、そのパケットデータを前記サービス領域のデバイスの中の第２のデバイスへ送信のために前記アンテナセクションに前記パケットデータを導くパケットスイッチを有する請求項２１に記載のシステム。
【請求項２４】
前記浮遊スイッチングノードが、
前記ビームと前記セル間の関係を記憶するメモリを含み、ビーム間のデバイスのハンドオフを行う際に前記浮遊スイッチングノードが前記メモリの中の前記関係を更新し、
パケットデータを前記アンテナセクションを介して前記デバイスの中の第１のデバイスから受信し、前記メモリにアクセスして前記デバイスの中の第２のデバイスに関連する目的地ビームを決定し、該目的地ビームを使用して前記パケットデータを前記第２のデバイスに送信するために前記アンテナセクションに導くパケットスイッチを含む請求項２１に記載のシステム。
【請求項２５】
前記浮遊スイッチングノードが地面設置通信のために設計された周波数バンドを使用してデータを前記デバイスと通信する請求項２１に記載のシステム。
【請求項２６】
前記浮遊スイッチングノードは、パイロット信号を送信し、地面設置のアンテナトラッキングを可能にするパイロット送信器をさらに有する請求項２１に記載のシステム。
【請求項２７】
前記アンテナセクションは、複数のアンテナ部を含み、
中央から周りに伸びる角のある傾斜した周縁部を持つ中央セクションを有するプラットフォームを含み、
前記中央セクションは、その上に、前記サービス領域の中央部分との通信を容易にする前記アンテナ部の１つを含み、
前記傾斜した周縁部は、前記中央部分の周りに配置されたサービス領域の各部分との通信を容易にする複数のアンテナ部を持っている請求項２１記載のシステム。
【請求項２８】
前記アンテナ部は、送信アンテナと受信アンテナを含む請求項２７のシステム。
【請求項２９】
前記アンテナセクションは、複数の指向性ビームを同時に送信する請求項２１記載のシステム。
【請求項３０】
前記浮遊スイッチングノードは、サテライトと通信する請求項２１記載のシステム。
【請求項３１】
別のサービス領域にある複数の別のデバイスと通信する別の浮遊スイッチングノードを持った別の航空機を含み、前記浮遊スイッチングノードが互いに通信する請求項２１記載のシステム。
【請求項３２】
前記浮遊スイッチングノードが、前記航空機に対するビームの調整を容易にするために前記浮遊スイッチングノードの制御のもとで前記航空機に対する前記アンテナセクションの方向を機械的に調整するアダプタをさらに含む請求項２１記載のシステム。
【請求項３３】
前記デバイスが、
複数の第１周波数バンドのうちの１つを使用して前記浮遊スイッチングノードと通信する複数の加入者デバイスと、
前記第１周波数バンドとは異なる第２周波数バンドを使用して前記浮遊スイッチングノードと通信するゲートウェイデバイスとを含み、
前記アンテナセクションは、
フェーズアレイ技術を用いて加入者デバイスとの通信を容易にする第１ポーションと、
前記第１ポーションと分離されていて、他のフェーズアレイ技術を用いてゲートウェイデバイスとの通信を容易にする第２ポーションとを含む、
請求項２１に記載のシステム。
【請求項３４】
複数のセルを含む地上のサービス領域に位置する複数のデバイスと通信する方法であって、
前記サービス領域の上に、アンテナセクションを含む浮遊スイッチングノードを有する航空機を飛行させることと、
前記アンテナセクションを介してそれぞれ異なる方向の複数の指向性ビームを、各ビームが前記サービス領域内の対応する各セルにそれぞれ到達するように前記サービス領域に送信することと、
地上に対する前記航空機の移動に伴う補償を含み、前記航空機に対して前記ビームの方向を調整することと、
前記アンテナセクションを介して、前記サービス領域に配置された複数のデバイスによって送信された各信号を受信して、その受信した各信号を信号を送信したデバイス以外の他のデバイスの１つに送信することとを含む方法。
【請求項３５】
前記調整することが、前記航空機に対するビームの方向を電気的に調整するステップを含む請求項３４に記載の方法。
【請求項３６】
前記調整することが、前記航空機に対するビーム方向を調整するために、前記アンテナセクションの方向を、前記航空機に対して機械的に調整するステップを含む請求項３４の方法。
【請求項３７】
前記機械的に調整するステップが、実質的に前記アンテナセクションのコンパス方向を一定に維持するために前記アンテナセクションを前記航空機に対して回転するステップを含む請求項３６に記載の方法。
【請求項３８】
前記浮遊スイッチングノードは、前記ビームと前記セル間の関係を記憶しているメモリを含んでおり、
セル間のビームのハンドオフを行う際に前記メモリ内の前記関係を更新するステップを含む請求項３４に記載の方法。
【請求項３９】
地面設置の通信のために設計される周波数バンドを使用して前記アンテナセクションに前記デバイスと通信させるステップを含む請求項３４に記載の方法。
【請求項４０】
地面設置のアンテナトラッキングを可能にするためにパイロット信号を前記アンテナセクションに送信させるステップをさらに含む請求項３４に記載の方法。
【請求項４１】
前記デバイスが複数の加入者デバイスとゲートウェイデバイスを含んでいる請求項３４記載の方法であって、
前記加入者デバイスにそれぞれ、複数の第１周波数帯の１つを使用して前記浮遊スイッチングノードと通信させ、
前記ゲートウェイデバイスに、前記第１周波数帯とは異なる第２周波数帯を使用して前記浮遊スイッチングノードと通信させる方法。
【請求項４２】
前記アンテナセクションに、複数の指向性ビームの同時送信を促進させるステップを含む請求項３４記載の方法。
【請求項４３】
地上のサービス領域にある複数のデバイスと通信する方法であって、
前記サービス領域の上に、アンテナセクションを含む浮遊スイッチングノードを有する航空機を飛ばすことと、
前記アンテナセクションを介してそれぞれ異なる方向の複数の指向性ビームを前記サービス領域に送信することと、
前記航空機の地上に対する移動を補償する必要に従って前記サービス領域内の前記デバイス間におけるビームのハンドオフをし、
前記アンテナセクションを介して、前記サービス領域に配置された複数のデバイスによって送信された各信号を受信して、その受信した各信号を信号が受信されたデバイス以外の他のデバイスの１つに送信することとを含む方法。
【請求項４４】
前記アンテナセクションはフェーズドアレイ技術を含み、前記ビームを電気的にそれぞれの方向に向けるステップを含む請求項４３記載の方法。
【請求項４５】
前記浮遊スイッチングノードは、ビームとデバイス間の関係を記憶しているメモリを含み、
前記メモリ内の前記関係をビーム間のデバイスのハンドオフを実行する際に更新するステップを含む請求項４３記載の方法。
【請求項４６】
前記浮遊スイッチングノードに、地上設置通信用に設計された周波数帯を用いて前記デバイスと通信させるステップを含む請求項４３記載の方法。
【請求項４７】
前記アンテナセクションに地上設置アンテナトラッキングを可能にするパイロット信号を送信させる請求項４３記載の方法。
【請求項４８】
前記アンテナセクションに複数の指向性ビームを同時送信させる請求項４３記載の方法。